(57)【要約】【課題】  アンテナベース部の送受信回路装備部に、回路基板、アンテナ裏面蓋部、及びバンドパスフィルタを順次積層した構造では、全体の厚さ寸法が大きくなる他、これら各部に信号伝達用の連結導波孔を設ける必要があり、伝達される信号のロス、リークが増大し、アイソレーションも低下するので、これら問題点を解決しようとすると加工工数が増大し加工費も増える。そこで本発明は、これらの問題点の解決をはかる。【解決手段】  アンテナベース部100の送受信回路装備部130にバンドパスフィルタの複数のフィルタ素子それぞれが、その開口部分をこの送受信回路装備部130内の底面に開口するように形成する。複数のフィルタ素子の一方には電波送受波面とつながる導波孔120が開口し、他方には信号入出力端310を配置する。複数のフィルタのうちの信号入出力端310が配置されたフィルタ素子以外は、その開口部分をアンテナ裏面蓋部200で直接塞ぐ。【選択図】        図１
2006222527.tif 000002
【特許請求の範囲】
【請求項１】
一方の面に電波送受波面を有し、その裏面側に、前記電波送受波面への送信信号を供給し、かつこの電波送受波面で受信された受信信号に対する増幅、信号処理を行う送受信回路を装備した送受信回路装備部を有して成り、前記送受信回路には、前記送信信号及び受信信号に対する帯域ろ波処理を行うバンドパスフィルタを含む、送受信回路を備えた平面スロットアンテナであって、次の各構成を有することを特徴とする送受信回路を備えた平面スロットアンテナ。
（イ）一方の面に前記電波送受波面を形成するための複数の導波路が形成され、その裏面側には、周囲に突起状の枠が形成されて全体が凹状を成して、この凹状部分に前記送受信回路が装備される送受信回路装備部が形成され、前記電波送受波面の形成面側と前記送受信回路装備部との間を貫通して、前記送信信号及び受信信号を伝達する導波孔が形成され、前記バンドパスフィルタは複数のフィルタ素子を含んで成り、これら複数のフィルタ素子のうちの一方の端のフィルタ素子内に前記導波孔の一端が開口するように直接つながり、かつこれら複数のフィルタ素子それぞれが、前記送受信回路装備部内に、その開口部をこの送受信回路装備部の凹状の底面に開口して形成された、アンテナベース部
（ロ）前記アンテナベース部の電波送受波面形成面の複数の導波路それぞれと対応して、複数のスロットが配列形成され、前記アンテナベース部に装着されて前記アンテナベース部と共に前記電波送受波面を形成するスロット板
（ハ）前記送信信号の供給源及び前記受信信号の増幅、信号処理を行うための回路を搭載して、前記アンテナベース部の送受信回路装備部に装着され、一方の面に、前記送信信号の供給端及び前記受信信号の受電端となる信号入出力端を備えて成り、この信号入出力端が前記アンテナベース部に形成されたバンドパスフィルタの複数のフィルタ素子のうちの他方の端のフィルタ素子の開口部分に配置された回路基板
（ニ）前記アンテナベース部の送受信回路装備部の凹状部分に装着され、前記回路基板を固定すると共に、前記送受信回路装備部凹状部分底面に開口する前記バンドパスフィルタの複数のフィルタ素子のうちの、少なくとも、前記回路基板の信号入出力端が配置されたフィルタ素子以外の、フィルタ素子の開口部分に直接接触してこれら開口部分を塞ぐアンテナ裏面蓋部
（ホ）前記アンテナベース部に形成されたバンドパスフィルタの複数のフィルタ素子のうちの、開口部分に前記回路基板の信号入出力端が配置されたフィルタ素子の開口部分を、前記信号入出力端及びこの信号入出力端の周辺に配置された導電性部材で塞ぐ信号入出力端配置フィルタ素子開口部閉塞手段
【請求項２】
前記アンテナベース部に形成されたバンドパスフィルタの複数のフィルタ素子は、その両端のフィルタ素子が、モード変換型であり、その中間部分のフィルタ素子は、複数個、共振器型である、請求項１記載の送受信回路を備えた平面スロットアンテナ。
【請求項３】
前記信号入出力端配置フィルタ素子開口部閉塞手段は、前記回路基板の、信号入出力端周辺に、導電体箔領域が形成されて、この導電体箔領域及び前記信号入出力端により前記アンテナベース部に形成されてその開口部分に前記信号入出力端が配置されたフィルタ素子の開口部分を塞ぐ構造である、請求項１又は請求項２記載の送受信回路を備えた平面スロットアンテナ。
【発明の詳細な説明】
【技術分野】
【０００１】
本発明は、送受信回路を備えた平面スロットアンテナに関し、特に送受信回路の中に導波管型バンドパスフィルタを含む構成の送受信回路を備えた平面スロットアンテナに関する。
【背景技術】
【０００２】
平面スロットアンテナは、その電波送受波面側として、アンテナベースの表側の面に、複数の電波送受波間導波路を形成し、その前面に、それら電波送受波用導波路と対応して複数のスロットが配列形成されたスロット板をねじ止めした構造、構成であり、一方電波送受波面の裏面側となるアンテナベースの裏面側には、電波送受波面側への送信信号の供給、及び電波送受波面で受信された受信信号の増幅、信号処理等を行う送受信回路が装備されることがある。
このような、送受信回路を備えた平面スロットアンテナの第１の例を図２（ａ），（ｂ）に示す。
【０００３】
この第１の例の送受信回路を備えた平面スロットアンテナは、前述したように、その電波送受波面側が、アンテナベース部１００ｘの表側の面（電波送受波面形成面１１０）に、導波路側壁１１１に挟まれた複数の電波送受波用導波路１１２が形成され、その前面には、これら電波送受波用導波路１１２それぞれと対応して、複数のスロット４１０が配列、形成されたスロット板４００を、止めねじ４５０でねじ止めした構造であり、また、電波送受波面の裏面側となるアンテナベース部１００ｘの裏面側には、送受信回路装備部１３０ｘが形成されていて、この部分に、前述の電波送受波面側への送信信号の供給と、電波送受波面で受信された受信信号の増幅、信号処理等と、を行う送受信回路３５０ｘを搭載した回路基板３００ｘが装着される、構造、構成となっている（例えば、特許文献１参照）。
【０００４】
平面スロットアンテナの電波送受波面側へ送信信号を供給する場合の送信信号や、電波送受波面で受信された受信信号に対しては、帯域ろ波する必要があり、バンドパスフィルタが必要となる。このようなバンドパスフィルタを備えた例（第２の例）を図３に示す。
【０００５】
この第２の例では、アンテナベース部１００ｙが、電波送受波面形成面１１０の裏面側に送受信回路装備部１３０ｙを備えており、この送受信回路装備部１３０ｙ内に送受信回路が搭載された回路基板３００ｙが装着され、その上から、アンテナベース部１００ｙの送受信回路装着部１３０ｙを覆うように、アンテナ裏面蓋部２００ｙが取付けられる。
また、このアンテナ裏面蓋部２００ｙには、バンドパスフィルタであるフィルタユニット５００が取付けられている。これらの取付け及びフィルタユニット５００のより具体的、詳細な構造を図４（ａ），（ｂ）に示す。
【０００６】
まず、電波送受波面側への送信信号の供給について説明する。
この送信信号は、回路基板３００ｙ上の送受信回路で生成され、この送信信号が回路基板３００ｙ上の信号入出力端３１０ｙから出力される。
アンテナ裏面蓋部２００ｙは、回路基板３００ｙをその上から押えてこれを固定し、その上面側にフィルタ装着部２３０ｙが形成されていてこの部分にフィルタユニット５００が装着される。フィルタユニット５００は複数の共振器５１１を含むメインフィルタ部５１２、このメインフィルタ部５１２の前側、後側に設けられた基板側モード変換部５１３、及びアンテナ側モード変換部５１４が形成されたフィルタベース部５１０と、その蓋となるフィルタ蓋部５２０とで構成され、フィルタ蓋部５２０側がアンテナ裏面蓋部２００ｙのフィルタ装着部２３０ｙの底面に密着するよう装着される構造となっている。
【０００７】
従って、回路基板３００ｙの信号入出力端３１０ｙから出力された送信信号をアンテナベース部１００ｙの電波送受波面へと供給するためには、回路基板３００ｙの信号入出力端３１０ｙと対応する部位に対し、アンテナ裏面蓋部２００ｙには連結導波孔２１０ｙを、フィルタ蓋部５２０には連結導波孔５２１を形成し、一方、アンテナベース部１００ｙの電波送受波面１１０とつながって、アンテナベース部１００ｙには導波孔１２０ｙが形成されていて、この導波孔１２０ｙと対応する位置に対し、アンテナ裏面蓋部２００ｙに連結導波孔２２０ｙが、フィルタ蓋部５２０には連結導波孔５２２が、更に回路基板３００ｙにもスルーホール型の連結導波孔３２０がそれぞれ形成された構造となる。
【０００８】
そして、回路基板３００ｙの信号入出力端３１０ｙから出力された送信信号は、アンテナ裏面蓋部２００ｙの連結導波孔２１０ｙ、フィルタ蓋部５２０の連結導波孔５２１、フィルタベース部５１０の基板側モード変換部５１３、共振部５１１、及びアンテナ側モード変換部５１３を経由した後、更に、フィルタ蓋部５２０の連結導波孔５２２、アンテナ裏面蓋部２００ｙの連結導波孔２２０ｙ、回路基板３００ｙの連結導波孔３２０ｙ、及びアンテナベース部１００ｙの導波孔１２０ｙを経由して、アンテナベース部１００ｙの電波送受波面１１０へと供給される。
【０００９】
なお、アンテナ裏面蓋部２００ｙの連結導波孔２１０ｙ，２２０ｙ、フィルタ蓋部５２０の連結導波孔５２１，５２２等も、その形状により、モード変換機能を有するように形成されることもある。
一方、アンテナベース部１００ｙの電波送受波面１１０で受波され受信信号は、上述の逆ルートで、回路基板３００ｙの信号入出力端３１０ｙに伝達される。
【特許文献１】特願２００３−１８４４２２号（図１）
【発明の開示】
【発明が解決しようとする課題】
【００１０】
図３，図４に示された背景技術における送受信回路を備えた平面スロットアンテナでは、アンテナベース部１００の送受信回路装着部１３０ｙの部分に、順次、回路基板３００、アンテナ裏面蓋部２００ｙが、更にこのアンテナ裏面蓋部２００ｙのフィルタ装着部２３０ｙにフィルタユニット５００がそのフィルタ蓋部５２０、フィルタベース部５１０の順に積み重ねられた構造、構成となっているので、全体の厚さ、特にフィルタユニット５００部分の厚さが厚くなり、大型化するという問題点があり、また、回路基板３００ｙの信号入出力端３１０ｙから入出力信号は、アンテナベース部１００の電波送受波面１１０とフィルタベース部５１０との間で、アンテナ裏面蓋部２００ｙの連結導波孔２１０ｙとフィルタ蓋部５２０の連結導波孔５２１、及びフィルタ蓋部５２０の連結導波孔５２２と、アンテナ裏面蓋部２００の連結導波孔２２０ｙと、回路基板３００ｙの連結導波孔３２０ｙと、を経由することになるので、これら連結導波孔部分のロスやリークが増大し、またアイソレーションも劣化するという問題点や全体の厚さ寸法が大きくなる、という問題点がある。
【００１１】
これらの問題点を改良するために、その取付け面や連結導波孔内部を高精度で面加工する必要があり、加工工数及び加工費が増大するという問題点があり、また部品点数も多くなるという問題点があった。
【００１２】
本発明の目的は、これら問題点を解消して、回路基板の信号入出端・アンテナベース部の電波送受波面間のロス、リークを減少させてアイソレーションを良好に保ち、かつ、全体の厚さ寸法を低減し、しかも加工工数及び加工費を低減することができ、また部品点数を少なくした送受信回路を備えた平面スロットアンテナを提供することにある。
【課題を解決するための手段】
【００１３】
本発明の送受信回路を備えた平面スロットアンテナは、一方の面に電波送受波面を有し、その裏面側に、前記電波送受波面への送信信号を供給し、かつこの電波送受波面で受信された受信信号に対する増幅、信号処理を行う送受信回路を装備した送受信回路装備部を有して成り、前記送受信回路には、前記送信信号及び受信信号に対する帯域ろ波処理を行うバンドパスフィルタを含む、送受信回路を備えた平面スロットアンテナであって、次の各構成を有することを特徴とする。
（イ）一方の面に前記電波送受波面を形成するための複数の導波路が形成され、その裏面側には、周囲に突起状の枠が形成されて全体が凹状を成して、この凹状部分に前記送受信回路が装備される送受信回路装備部が形成され、前記電波送受波面の形成面側と前記送受信回路装備部との間を貫通して、前記送信信号及び受信信号を伝達する導波孔が形成され、前記バンドパスフィルタは複数のフィルタ素子を含んで成り、これら複数のフィルタ素子のうちの一方の端のフィルタ素子内に前記導波孔の一端が開口するように直接つながり、かつこれら複数のフィルタ素子それぞれが、前記送受信回路装備部内に、その開口部をこの送受信回路装備部の凹状の底面に開口して形成された、アンテナベース部
（ロ）前記アンテナベース部の電波送受波面形成面の複数の導波路それぞれと対応して、複数のスロットが配列形成され、前記アンテナベース部に装着されて前記アンテナベース部と共に前記電波送受波面を形成するスロット板
（ハ）前記送信信号の供給源及び前記受信信号の増幅、信号処理を行うための回路を搭載して、前記アンテナベース部の送受信回路装備部に装着され、一方の面に、前記送信信号の供給端及び前記受信信号の受電端となる信号入出力端を備えて成り、この信号入出力端が前記アンテナベース部に形成されたバンドパスフィルタの複数のフィルタ素子のうちの他方の端のフィルタ素子の開口部分に配置された回路基板
（ニ）前記アンテナベース部の送受信回路装備部の凹状部分に装着され、前記回路基板を固定すると共に、前記送受信回路装備部凹状部分底面に開口する前記バンドパスフィルタの複数のフィルタ素子のうちの、少なくとも、前記回路基板の信号入出力端が配置されたフィルタ素子以外の、フィルタ素子の開口部分に直接接触してこれら開口部分を塞ぐアンテナ裏面蓋部
（ホ）前記アンテナベース部に形成されたバンドパスフィルタの複数のフィルタ素子のうちの、開口部分に前記回路基板の信号入出力端が配置されたフィルタ素子の開口部分を、前記信号入出力端及びこの信号入出力端の周辺に配置された導電性部材で塞ぐ信号入出力端配置フィルタ素子開口部閉塞手段
【００１４】
また、前記アンテナベース部に形成されたバンドパスフィルタの複数のフィルタ素子は、その両端のフィルタ素子が、モード変換型であり、その中間部分のフィルタ素子は、複数個、共振器型である前記送受信回路を備えた平面スロットアンテナである。
【００１５】
また、前記信号入出力端配置フィルタ素子開口部閉塞手段は、前記回路基板の、信号入出力端周辺に、導電体箔領域が形成されて、この導電体箔領域及び前記信号入出力端により前記アンテナベース部に形成されてその開口部分に前記信号入出力端が配置されたフィルタ素子の開口部分を塞ぐ構造である前記送受信回路を備えた平面スロットアンテナである。
【発明の効果】
【００１６】
本発明において、バンドパスフィルタを形成する複数のフィルタ素子それぞれが、アンテナベース部の送受信回路装備部内に、その開口部をこの送受信回路装備部の凹状を成す底面に開口して形成され、かつバンドパスフィルタの複数のフィルタ素子のうちの一方の端のフィルタ素子には、電波送受波面とつながる導波孔が直接つながり、かつこれら複数のフィルタ素子のうちの他端側のフィルタ素子には、その開口部に信号入出力端が直接配置されているので、従来例のように、アンテナベース部の導波孔とバンドパスフィルタの一方の端のフィルタ素子との間に、回路基板、アンテナ裏面蓋部、及びフィルタ蓋部それぞれに連結導波孔を形成しなくて済み、かつまた、信号入出力端とバンドパスフィルタの他方の端のフィルタ素子との間に、アンテナ裏面蓋部、及びフィルタ蓋部それぞれに連結導波孔を形成しなくて済むので、これら連結導波孔形成のための加工工数及び加工費を低減することができ、かつ、信号入出力端・電波送受波面間で伝達される送信信号及び受信信号に対し、そのロスおよびリークを減少させることができ、かつそのアイソレーションを良好に保つことができ、しかも、全体の厚さを薄くすることができる、という効果がある。また、部品点数を少なくすることもできる。
【発明を実施するための最良の形態】
【００１７】
本発明を実施するための最良の形態は、一方の面に電波送受波面を有し、その裏面側に、上記電波送受波面への送信信号を供給し、かつこの電波送受波面で受信された受信信号に対する増幅、信号処理を行う送受信回路を装備した送受信回路装備部を有して成り、上記送受信回路には、上記送信信号及び受信信号に対する帯域ろ波処理を行うバンドパスフィルタを含む、送受信回路を備えた平面スロットアンテナであって、
一方の面に上記電波送受波面を形成するための複数の導波路が形成され、その裏面側には、周囲に突起状の枠が形成されて全体が凹状を成して、この凹状部分に上記送受信回路が装備される送受信回路装備部が形成され、上記電波送受波面の形成面側と上記送受信回路装備部との間を貫通して、上記送信信号及び受信信号を伝達する導波孔が形成され、上記バンドパスフィルタは複数のフィルタ素子を含んで成り、これら複数のフィルタ素子のうちの一方の端のフィルタ素子内に上記導波孔の一端が開口するように直接つながり、かつこれら複数のフィルタ素子それぞれが、上記送受信回路装備部内に、その開口部をこの送受信回路装備部の凹状の底面に開口して形成された、アンテナベース部と、
上記アンテナベース部の電波送受波面形成面の複数の導波路それぞれと対応して、複数のスロットが配列形成され、上記アンテナベース部に装着されて上記アンテナベース部と共に上記電波送受波面を形成するスロット板と、
上記送信信号の供給源及び上記受信信号の増幅、信号処理を行うための回路を搭載して、上記アンテナベース部の送受信回路装備部に装着され、一方の面に、上記送信信号の供給端及び上記受信信号の受電端となる信号入出力端を備えて成り、この信号入出力端が上記アンテナベース部に形成されたバンドパスフィルタの複数のフィルタ素子のうちの他方の端のフィルタ素子の開口部分に配置された回路基板と、
上記アンテナベース部の送受信回路装備部の凹状部分に装着され、上記回路基板を固定すると共に、上記送受信回路装備部凹状部分底面に開口する上記バンドパスフィルタの複数のフィルタ素子のうちの、少なくとも、上記回路基板の信号入出力端が配置されたフィルタ素子以外の、フィルタ素子の開口部分に直接接触してこれら開口部分を塞ぐアンテナ裏面蓋部と、
上記アンテナベース部に形成されたバンドパスフィルタの複数のフィルタ素子のうちの、開口部分に上記回路基板の信号入出力端が配置されたフィルタ素子の開口部分を、上記信号入出力端及びこの信号入出力端の周辺に配置された導電性部材で塞ぐ信号入出力端配置フィルタ素子開口部閉塞手段と、
を有して構成され、かつ、
上記アンテナベース部に形成されたバンドパスフィルタの複数のフィルタ素子は、その両端のフィルタ素子が、モード変換型であり、その中間部分のフィルタ素子は、複数個、共振器型であり、また、
上記信号入出力端配置フィルタ素子開口部閉塞手段は、上記回路基板の、信号入出力端周辺に、導電体箔領域が形成されて、この導電体箔領域及び上記信号入出力端により上記アンテナベース部に形成されてその開口部分に上記信号入出力端が配置されたフィルタ素子の開口部分を塞ぐ構造である、構成を有している。
【実施例１】
【００１８】
以下、本発明の実施例１について図面を参照して説明する。
図１（ａ）は本発明の一実施例を説明するためのアンテナベース部の送受信回路装備部内の配置平面図、及びこの実施例１における送受信回路を備えた平面スロットアンテナのＡ−Ａ断面図及びＢ−Ｂ断面図である。
この実施例１における送受信回路を備えた平面スロットアンテナは、一方の面に電波送受波面を有し、その裏面側に、電波送受波面への送信信号を供給し、かつこの電波送受波面で受信された受信信号に対する増幅、信号処理を行う送受信回路を装備した送受信回路装備部を有して形成され、送受信回路には、送信信号及び受信信号に対する帯域ろ波処理を行うバンドパスフィルタを含む構成の、送受信回路を備えた平面スロットアンテナであって、一方の面側に電波送受波面形成面１１０を備え、他方の面に送受信回路装備部１３０を備えたアンテナベース部１００と、このアンテナベース部１００の電波送受波面形成面側にねじ止めされるスロット板（図示省略）と、送受信回路装備部１３０に装備され信号入出力端３１０が配設された回路基板３００と、送受信回路装備部１３０に装着されるアンテナ裏面蓋部２００と、上記バンドパスフィルタ（フィルタ形成部１８０）の複数のフィルタ素子のうちの信号入出力端３１０が配置されたフィルタ素子の開口部分を塞ぐ信号入出力端配置フィルタ素子開口部閉塞手段とを含んで構成され、これらの詳細は次のとおりである。
【００１９】
まず、アンテナベース部１００は、一方の面に、電波送受波面を形成するための複数の導波路（背景技術における図２参照）が形成されて電波送受波面形成面１１０とし、その裏面側には、周囲に突起状の枠（突出枠１３１）が形成されて全体が凹状を成して、この凹状部分に前述の送受信回路が装備される送受信回路装備部１３０が形成され、電波送受波面形成面１１０と送受信回路装備部１３０との間にはこの間を貫通して、前述の送信信号及び受信信号を伝達する導波孔１２０が形成され、前述のバンドパスフィルタは複数のフィルタ素子を含んで形成され、これら複数のフィルタ素子のうちの一方の端のフィルタ素子内に上記の導波孔１２０の一端が開口するように直接つながり、かつ、これら複数のフィルタ素子それぞれが、上記の送受信回路装備部１３０内に、その開口部を送受信回路装備部１３０の凹状の底面に開口するように形成されてフィルタ形成部１８０を成す構造となっている。
【００２０】
次に図示省略されているスロット板は、アンテナベース部１００の電波送受波面形成面の複数の導波路（図２の導波路１１２相当）それぞれと対応して、複数のスロットが配列形成されて、アンテナベース部１００の電波送受波面形成面１１０にねじ止めされて、これらにより、電波送受波面を形成する。
【００２１】
次に、回路基板３００は、上述した送信信号の供給源、及び受信信号の増幅、及び信号処理を行うための回路を搭載してアンテナベース部１００の送受信回路装備部１３０に装着されて、その一方の面の予め定められた位置に、上記の送信信号の供給端及び受信信号の受電端となる信号入出力端３１０を備えて成り、この信号入出力端３１０がアンテナベース部１００に形成されたバンドパスフィルタ（フィルタ形成部１８０）の複数のフィルタ素子のうちの他方の端のフィルタ素子の開口部分に配置される。
【００２２】
次に、アンテナ裏面蓋部２００は、アンテナベース部１００の送受信回路装備部１３０の凹状部分に装着されて、回路基板３００を固定する一方、送受信回路装備部１３０の凹状部分底面に開口するバンドパスフィルタの複数のフィルタ素子（フィルタ形成部１８０の）のうちの、回路基板３００の信号入出力端３１０が配置されたフィルタ素子以外の、フィルタ素子の開口部分に直接接触してこれらフィルタ素子の開口部分を塞ぐ。
【００２３】
次に、信号入出力端配置フィルタ素子開口部閉塞手段は、回路基板３００の信号入出力端３１０の周辺に形成されたフィルタ蓋用導体箔領域３３０を含んで成り、このフィルタ蓋用導体箔領域３３０と上記信号入出力端３１０とにより、この信号入出力端が配置されたフィルタ素子の開口部を塞ぐ構造となっている。
即ち、この実施例１においては、送信信号及び受信信号に対して帯域ろ波するバンドパスフィルタが、その複数のフィルタ素子はアンテナベース部１００の送受信回路装備部１３０の凹状部分底面に開口して形成され、これら複数のフィルタ素子のうちの一方の端のフィルタ素子に導波孔１２０が直接つながり、かつ他方の端のフィルタ素子の開口部には信号入出力端３１０が配置されているので、信号入出力端３１０、バンドパスフィルタ、及び導波孔１２０が直接つながって形成されているので、これらを伝達する径路に背景技術における連結導波孔がなくすことができ、送信信号及び受信信号に対するロス、リークを減少させることができ、かつアイソレーションを良好に保つことができ、また全体の厚さを薄くすることができ、しかも加工工数及び加工費を低減することができる。また部品点数も減すことができる。
【実施例２】
【００２４】
次に、本発明の実施例２について図面を参照して説明する。
図１（ｂ）は、本発明の実施例２を説明するためのＢ−Ｂ断面側面図である。
この実施例２の送受信回路を備えた平面スロットアンテナは、アンテナベース部１００の送受信回路装備部１３０に形成されたバンドパスフィルタ（フィルタ形成部１８０）の構造が前述の実施例１より具体的に示されており、このバンドパスフィルタは、複数フィルタ素子で形成されていて、その両端のフィルタ素子がモード変換型であって片方が基板側モード変換部１５０、その他方がアンテナ側モード変換部１７０を形成し、これらの間に配置されたフィルタ素子は、複数個、共に共振器型（共振器１６１）であって、これら複数のフィルタ素子（１６１）でメインフィルタ部１６０を形成する構造となっている。
【００２５】
また、アンテナベース部１００の送受信回路装備部１３０に形成されたバンドパスフィルタの複数のフィルタ素子のうち、その開口部に信号入出力端３１０が配置されたフィルタ素子である基板側モード変換部１５０の開口部分を塞ぐ、信号入出力端配置フィルタ素子開口部閉塞手段は、回路基板３００の信号入出力端３１０の周辺に導電体箔領域であるフィルタ蓋用導体箔領域３３０を形成し、これら信号入出力端３１０及びフィルタ蓋用導体箔領域３３０により、基板側モード変換部１５０の開口部分を塞ぐ構造となっている。
【００２６】
更にまた、アンテナ裏面蓋部は、実施例１では、その周辺裏面側の周辺部等が、突起状に突出していてアンテナ裏面蓋部２００としていたが、この突起状に突出した部分は背景技術におけるフィルタ装着部２３０ｙの名残りであって、本発明では不要であり、従ってこの突起状の部分を削除して、アンテナ裏面蓋部２００ｂとすることにより、全体の厚さを更に薄くすることができる。
なお、その他の部分の詳細、及び作用効果は実施例１と同様である。
【図面の簡単な説明】
【００２７】
【図１】本発明の実施例１を説明するための、アンテナベース部の送受信回路装備部側から見た平面図、Ａ−Ａ断面図及びＢ−Ｂ断面図、並びに実施例２を説明するためのＢ−Ｂ断面図である。
【図２】背景技術における第１の例の電波送受波面側から見た分解斜視図、及び送受信回路装備部側から見た分解斜視図である。
【図３】背景技術における第２の例のアンテナベース部の電波送受波面側及び送受信回路装備部側から見た平面図、側面図、並びに送受信回路を備えた平面スロットアンテナ全体の側面図である。
【図４】背景技術における第２の例のバンドパスフィルタ部分の分解平面図、並びにアンテナベース部の送受信回路装備部側から見た平面図及び全体のＡ−Ａ断面図である。
【符号の説明】
【００２８】
１００，１００ｘ，１００ｙ  アンテナベース部
１１０  電波送受波面形成面
１２０，１２０ｙ  導波孔
１３０，１３０ｘ，１３０ｙ  送受信回路装備部
１５０  基板側モード変換部
１６０  メインフィルタ部
１６１  共振器
１７０  アンテナ側モード変換部
１８０  フィルタ形成部
２００，２００ｂ，２００ｙ  アンテナ裏面蓋部
２１０ｙ，２２０ｙ  連結導波孔
２３０ｙ  フィルタ装着部
３００，３００ｘ，３００ｙ  回路基板
３１０，３１０ｙ  信号入出力端
３２０ｙ  連結導波孔
３３０  フィルタ蓋用導体箔領域
４００  スロット板
５００  フィルタユニット
【図１】
2006222527.tif 000003
【図２】
2006222527.tif 000004
【図３】
2006222527.tif 000005
【図４】
2006222527.tif 000006